【事件の表示】
　特願２００２−１２０４２４「実装ヘッド」拒絶査定不服審判事件〔平成１５年１１月　７日出願公開、特開２００３−３１９６３２〕について、次のとおり審決する。
【結　論】
　本件審判の請求は、成り立たない。
【理　由】
１．手続の経緯・本願の発明
　本願は、平成１４年４月２３日の出願であって、その請求項１に係る発明（以下、「本願発明」という。）は、平成１９年１０月１８日付けの手続補正書により補正された明細書及び図面の記載からみて、特許請求の範囲の請求項１に記載された次の事項により特定されるとおりのものと認める。
「ボイスコイル型モータによって移動するシャフトと、このシャフトの一端部に装着された電子部品保持ツールを備え、この電子部品保持ツールで保持した電子部品を基板に実装する実装ヘッドであって、前記シャフトを支持する軸受け部と、中央部に前記シャフトが貫通する貫通孔を有し前記シャフトと同軸且つ平行な外壁面を備えた第１磁性部材と、前記第１磁性部材を包囲して配置されこの第１磁性部材の外壁面と間隔をおいて対向し前記シャフトと同軸且つ平行な内壁面を有する第２磁性部材と、前記外壁面と前記内壁面に挟まれた略円筒状の空間内において前記シャフトの長手方向に沿って直列に配置され半径方向に着磁された２個のリング形状の磁石と、前記内壁面と前記磁石の間の空間に前記シャフトと同軸に巻回され前記磁石に対応して前記シャフトの長手方向に沿って直列に配置された２個の外側コイルと、前記外壁面と前記磁石の間の空間に前記シャフトと同軸に巻回され前記外側コイルに対応して前記シャフトの長手方向に沿って直列に配置された２個の内側コイルと、前記外側コイルと前記内側コイルに電流を供給する駆動回路を備え、
　前記外側コイルの内周面及び前記内側コイルの外周面に前記磁石の外周面及び内周面をそれぞれ直接露呈させて前記シャフトに前記磁石を一体的に装着し、かつ前記２個のリング形状の磁石のうち上方に配置された磁石の上端側を自由端として可動部とし、前記軸受け部、前記第１磁性部材、前記第２磁性部材、前記外側コイル、前記内側コイルとを一体的に装着して固定部とし、隣接する前記磁石の極性を逆向きにすると共に隣接する外側コイルに流す電流の方向を逆向きとし、さらに外側コイルに対応する内側コイルに流す電流の方向をこの外側コイルと同じ向きにしてボイスコイル型モータを構成し、前記シャフトの他端部に連結され回転方向へはこのシャフトと軸心を中心に一体的に回転し長手方向へはシャフトに対して摺動自在に移動する回転体と、この回転体を回転させる回転駆動手段と、前記駆動回路と前記回転駆動手段を制御する制御手段を備え、また前記シャフトの上下方向の位置を検出する位置検出手段を備え、前記位置検出手段が、前記シャフトに装着されたリニアスケールと前記回転体に装着された読み取りヘッドからなり、前記リニアスケールと前記読み取りヘッドは相対向して配置されていることを特徴とする実装ヘッド。」
　
２．引用例
（１）これに対して、当審における、平成１９年９月１０日付けで通知した拒絶の理由に引用した特開平７−２６６１５４号公報（以下、「引用例１」という。）には、図面と共に次の事項が記載されている。
　
　・「【０００３】次に、電子部品実装装置に使用されている従来の保持ヘッドについて説明する。図８は従来の電子部品実装装置に備えられた保持ヘッドの断面図である。この保持ヘッド１は円筒形のケース２を本体としており、その中心に垂直なシャフト３が収納されている。このシャフト３の下端部には、電子部品４を真空吸着して保持するノズル５が連結されている。シャフト３の上部にはスプライン部６が形成されており、このスプライン部６はスプライン軸受７に上下方向にスライド自在に保持されている。
【０００４】８はロータとしての第１の回転体であって、その下部に垂設された筒部９の内面にスプライン軸受７は装着されている。第１の回転体８の外周面にはマグネット１０が装着されており、またケース２の上部内面にはこのマグネット１０に対向するコイル１１が装着されている。第１の回転体８、マグネット１０、コイル１１は中空モータを構成しており、コイル１１に電流を流すと磁気力が発生し、第１の回転体８はシャフト３の軸心線ＮＡを中心にθ回転する。するとシャフト３も軸心線ＮＡを中心にθ回転し、ノズル５に真空吸着された電子部品４の回転角度（向き）が調整される。
【０００５】シャフト３の下部には第２の回転体１２が装着されている。第２の回転体１２の外周面にはマグネット１３が装着されている。またケース２の下部内周面には、マグネット１３に対向するコイル１４が装着されている。第２の回転体１２、マグネット１３、コイル１４は中空のボイスコイルモータを構成している。したがってコイル１４に電流を流すと、磁気力が発生し、シャフト３は上下動する。シャフト３が上下動作を行うことにより、パーツフィーダに備えられた電子部品４をノズル５が真空吸着してピックアップする動作や、真空吸着した電子部品４をプリント基板に搭載する動作が行われる。
【０００６】シャフト３の下部には、回転ベヤリング部１５を介してブラケット１６が装着されている。ブラケット１６の断面形状ははカギ型であり、その外面にはリニアエンコーダを構成するリニアスケール１７と、リニアスケール１７の読み取り用のセンサ１８が設けられている。このリニアスケール１７とセンサ１８により、シャフト３の昇降量が測定される。センサ１８の読み取り結果は図示しない制御部へフィードバックされ、コイル１４への通電量の制御などが行われる。」
　
　・また、図８には、ケース２の下部内周面に装着されたコイル１４の内周面にマグネット１３の外周面を直接露呈させてシャフト３に前記マグネット１３を一体的に装着し、かつ前記マグネット１３の上端側を自由端として可動部とし、コイル１４をケース２に装着して固定部とした構成、前記シャフト３の上部にスプライン軸受７を介して連結され回転方向へはこのシャフト３と軸心を中心に一体的に回転し長手方向へは前記シャフト３に対して相対的に摺動自在に移動するマグネット１０が装着された回転体８の構成、及び、前記シャフト３に回転ベアリング部１５を介して装着されたブラケット１６の外面に設けられたリニアスケール１７とその読み取り用のセンサ１８が相対向して配置されている構成が示されている。
　
　上記の記載事項及び図示内容を総合すると、引用例１には次の発明（以下、「引用発明１」という。）が記載されているものと認められる。
「中空のボイスコイルモータによって上下動するシャフト３と、このシャフト３の下端部に連結された電子部品４を保持するノズル５を備え、この電子部品４を保持するノズル５で保持した電子部品４をプリント基板に搭載する保持ヘッド１であって、前記シャフト３の下部に装着された回転体１２の外周面に装着されたマグネット１３と、前記マグネット１３に対向してケース２の内周面に装着されたコイル１４と、前記コイル１４に電流を流す手段を備え、
　前記コイル１４の内周面に前記マグネット１３の外周面を直接露呈させて前記シャフト３に前記回転体１２を介して前記マグネット１３を一体的に装着し、かつ前記マグネット１３の上端側を自由端として可動部とし、前記ケース２に装着された前記コイル１４を固定部として中空のボイスコイルモータを構成し、前記シャフト３の上部にスプライン軸受７を介して連結され回転方向へはこのシャフト３と軸心を中心に一体的に回転し長手方向へはシャフト３に対して相対的に摺動自在に移動するマグネット１０が装着された回転体８と、この回転体８をコイル１１に電流を流すことにより回転させる中空モータと、前記コイル１４への通電量を制御する制御部とシャフト３の回転量を調整する手段を備え、また前記シャフト３の昇降量を測定する測定手段を備え、前記測定手段が、前記シャフト３に回転ベアリング部１５を介して装着されたブラケット１６の外面に設けられたリニアスケール１７とその読み取り用のセンサ１８からなり、前記リニアスケール１７と前記読み取り用のセンサ１８は相対向して配置されている保持ヘッド１。」
　
（２）同じく、引用した特開平１０−２８５８９８号公報（以下、「引用例２」という。）には、図面と共に次の事項が記載されている。
　
　・「【００２１】
【発明の実施の形態】・・・図１において、円筒状の磁性体である外側ヨーク１の軸方向両端部には、略円盤状のサイドプレート２及び３が取り付けられている。内側ヨーク４は中心軸部分に貫通孔４ａが形成された円柱状の磁性体であり、その軸方向両端においてサイドプレート２及び３に取り付けられることによっていわゆる両持ちの状態に保持され、かつ、外側ヨーク１の内側に同心配置されている。外側ヨーク１の内周面上には、軸方向に対して第１コイル５及び第２コイル６が配置されて外側コイルが形成され、内側ヨーク２の外周面上には、同様に、軸方向に対して第３コイル７及び第４コイル８が配置されて内側コイルが形成されている。」
　
　・「【００２５】・・・駆動軸１０の軸心から所定半径（Ｒとする。）の周上には、外側ヨーク１及び内側ヨーク４と同軸に、磁性体からなる中間ヨーク１４が配置され、フランジ１１及び１２に取り付けられている。中間ヨーク１４の軸方向中央所定領域の外周面上には第１磁石１５及び第２磁石１６が配設され、また内周面上には第３磁石１７及び第４磁石１８が配設されている。すなわち、中間ヨーク１４及びその内外周面上に設けられた磁石１５〜１８は、フランジ１１及び１２を介して駆動軸１０と同心に配設され、駆動軸１０及び出力軸１３とともに軸方向に進退動作可能な可動体３０を構成している。」
　
　・「【００２８】図６〜図９に示すように、第１磁石１５、第２磁石１６、第３磁石１７及び第４磁石１８は各々周方向に分割された複数の磁石により、全体として円筒状に配設され、軸方向においては、第１磁石１５及び第３磁石１７、並びに、第２磁石１６及び第４磁石１８がそれぞれ互いに対応する位置に設けられている。そして、図８に示すように、中間ヨーク本体部１４ａを挟んで第１磁石１５（内周側がＮ極）と第３磁石１７（外周側がＳ極）とは径方向に互いに異極性の磁極が対向するように配置されている。同様に、図９に示すように、中間ヨーク本体部１４ａを挟んで第２磁石１６（内周側がＳ極）と第４磁石１８（外周側がＮ極）とは互いに異極性の磁極が対向するように配置されている。さらに、中間ヨーク本体部１４ａの軸方向に見た場合、第１磁石１５対第２磁石１６、及び、第３磁石１７対第４磁石１８は、それぞれ互いに異極性の磁極が隣接するように配置されている。」
　
　・「【００３３】以上のように構成されたリニアアクチュエータにおいては、第１磁石１５及び第３磁石１７がその間に存在する中間ヨーク本体部１４ｂとともに一つの磁石体を構成し、第２磁石１６及び第４磁石１８がその間に存在する中間ヨーク本体部１４ｂとともに他の磁石体を構成する。これら一対の磁石体は図１に示す閉磁路（磁束ループ）Ａを形成する。この状態において、第１コイル５（注：「１５」は誤記。以下同様。）及び第３コイル７（注：「１７」は誤記。以下同様。）には図１の紙面から垂直に飛び出す方向に電流を流し、かつ、第２コイル６（注：「１６」は誤記。以下同様。）及び第４コイル８（注：「１８」は誤記。以下同様。）には紙面に垂直に向かう方向に電流を流すと、各コイル５〜８には図の右側に向かう力が発生する。この力の反作用により、可動体３０は図の左方向に推力を得て前進する。また、逆に、第１コイル５及び第３コイル７には紙面に垂直に向かう方向に電流を流し、かつ、第２コイル６及び第４コイル８には紙面から垂直に飛び出す方向に電流を流すと、各コイル５〜８には図の左側に向かう力が発生する。この力の反作用により、可動体３０は図の右方向に推力を得て後退する。」
　
　上記の記載事項及び図１，６，８，９に示された内容を総合すると、引用例２には次の発明が記載されているものと認められる。
「駆動軸１０を支持するスライド軸受９と、中心軸部分に前記駆動軸１０が貫通する貫通孔４ａを有し前記駆動軸１０と同軸且つ平行な外壁面を備えた内側ヨーク４と、前記内側ヨーク４を包囲して配置されこの内側ヨーク４の外壁面と間隔をおいて対向し前記駆動軸１０と同軸且つ平行な内壁面を有する外側ヨーク１と、前記外壁面と前記内壁面に挟まれた略円筒状の空間内において前記駆動軸１０の長手方向に沿って直列に配置され半径方向に着磁された円筒状の一対の磁石体と、前記内壁面と前記磁石の間の空間に前記駆動軸１０と同軸に巻回され前記磁石に対応して前記駆動軸１０の長手方向に沿って直列に配置された第１コイル５，第２コイル６と、前記外壁面と前記磁石の間の空間に前記駆動軸１０と同軸に巻回され前記第１コイル５，第２コイル６に対応して前記駆動軸１０の長手方向に沿って直列に配置された第３コイル７，第４コイル８と、前記第１コイル５，第２コイル６と前記第３コイル７，第４コイル８に電流を流すための手段を備え、
　前記第１コイル５，第２コイル６の内周面及び前記第３コイル７，第４コイル８の外周面に前記磁石の外周面及び内周面をそれぞれ直接露呈させて前記駆動軸１０に前記磁石を一体的に装着して可動体３０とし、前記スライド軸受９、前記内側ヨーク４、前記外側ヨーク１、前記第１コイル５，第２コイル６、前記第３コイル７，第４コイル８とを一体的に装着して固定部とし、隣接する前記磁石の極性を逆向きにすると共に隣接する第１コイル５，第２コイル６に流す電流の方向を逆向きとし、さらに第１コイル５，第２コイル６に対応する第３コイル７，第４コイル８に流す電流の方向をこの第１コイル５，第２コイル６と同じ向きにしたリニアアクチュエータ。」
　
３．対比
　本願発明と引用発明１を対比すると、その機能・作用からみて、後者における「中空のボイスコイルモータ」が前者における「ボイスコイル型モータ」に相当し、以下同様に、「上下動するシャフト３」が「移動するシャフト」に、「シャフト３の下端部に連結」が「シャフトの一端部に装着」に、「電子部品４を保持するノズル５」が「電子部品保持ツール」に、「プリント基板に搭載」が「基板に実装」に、「保持ヘッド１」が「実装ヘッド」に、「シャフト３の上部」が「シャフトの他端部」に、「マグネット１０が装着された回転体８」が「回転体」に、「回転体８をコイル１１に電流を流すことにより回転させる中空モータ」が「回転体を回転させる回転駆動手段」に、「コイル１４への通電量を制御する制御部とシャフト３の回転量を調整する手段」が「駆動回路と回転駆動手段を制御する制御手段」に、「シャフト３の昇降量を測定する測定手段」が「シャフトの上下方向の位置を検出する位置検出手段」に、「シャフト３に回転ベアリング部１５を介して装着されたブラケット１６の外面に設けられたリニアスケール１７」が「シャフトに装着されたリニアスケール」に、「読み取り用のセンサ１８」が「読み取りヘッド」に、それぞれ相当している。
　また、後者の「コイル１４に電流を流す手段」と前者の「外側コイルと内側コイルに電流を供給する駆動回路」とは、「ボイスコイル型モータのコイルに電流を供給する駆動回路」との概念で共通し、後者の「コイル１４の内周面にマグネット１３の外周面を直接露呈させてシャフト３に回転体１２を介して前記マグネット１３を一体的に装着し、かつ前記マグネット１３の上端側を自由端として可動部とし」と前者の「外側コイルの内周面及び内側コイルの外周面に磁石の外周面及び内周面をそれぞれ直接露呈させてシャフトに前記磁石を一体的に装着し、かつ２個のリング形状の磁石のうち上方に配置された磁石の上端側を自由端として可動部とし」とは、「シャフトに磁石を一体的に装着し、かつ前記磁石の上端側を自由端として可動部とし」との概念で共通し、さらに、後者の「ケース２に装着されたコイル１４を固定部とし」と前者の「軸受け部、第１磁性部材、第２磁性部材、外側コイル、内側コイルとを一体的に装着して固定部とし」とは、「コイルを装着して固定部とし」との概念で共通する。
　
　したがって、両者は、
「ボイスコイル型モータによって移動するシャフトと、このシャフトの一端部に装着された電子部品保持ツールを備え、この電子部品保持ツールで保持した電子部品を基板に実装する実装ヘッドであって、ボイスコイル型モータのコイルに電流を供給する駆動回路を備え、
　前記シャフトに前記磁石を一体的に装着し、かつ前記磁石の上端側を自由端として可動部とし、コイルを装着して固定部としてボイスコイル型モータを構成し、前記シャフトの他端部に連結され回転方向へはこのシャフトと軸心を中心に一体的に回転し長手方向へはシャフトに対して摺動自在に移動する回転体と、この回転体を回転させる回転駆動手段と、前記駆動回路と前記回転駆動手段を制御する制御手段を備え、また前記シャフトの上下方向の位置を検出する位置検出手段を備え、前記位置検出手段が、前記シャフトに装着されたリニアスケールと読み取りヘッドからなり、前記リニアスケールと前記読み取りヘッドは相対向して配置されている実装ヘッド。」
である点で一致し、次の点で相違している。
［相違点１］
　本願発明が、「シャフトを支持する軸受け部と、中央部に前記シャフトが貫通する貫通孔を有し前記シャフトと同軸且つ平行な外壁面を備えた第１磁性部材と、前記第１磁性部材を包囲して配置されこの第１磁性部材の外壁面と間隔をおいて対向し前記シャフトと同軸且つ平行な内壁面を有する第２磁性部材と、前記外壁面と前記内壁面に挟まれた略円筒状の空間内において前記シャフトの長手方向に沿って直列に配置され半径方向に着磁された２個のリング形状の磁石と、前記内壁面と前記磁石の間の空間に前記シャフトと同軸に巻回され前記磁石に対応して前記シャフトの長手方向に沿って直列に配置された２個の外側コイルと、前記外壁面と前記磁石の間の空間に前記シャフトと同軸に巻回され前記外側コイルに対応して前記シャフトの長手方向に沿って直列に配置された２個の内側コイル」を備えているのに対し、引用発明１は、「シャフトの下部に装着された回転体の外周面に装着されたマグネット（「半径方向に着磁されたリング形状の磁石」に相当）と、前記マグネットに対向してケースの内周面に装着されたコイル」を備えているにすぎない点。
［相違点２］
　電流を供給するボイスコイル型モータのコイルに関し、本願発明が、「外側コイルと内側コイル」からなる構成であるのに対し、引用発明１は、そのような構成を備えていない点。
［相違点３］
　可動部に関し、シャフトに磁石を一体的に装着する際に、本願発明が、「外側コイルの内周面及び内側コイルの外周面に磁石の外周面及び内周面をそれぞれ直接露呈させて」いるのに対し、引用発明１は、かかる特定がなされていない点。
［相違点４］
　可動部における、上端側を自由端としている磁石につき、本願発明が、「２個のリング形状の磁石のうち上方に配置された磁石」としているのに対し、引用発明１は、かかる特定がなされていない点。
［相違点５］
　固定部に関し、本願発明が、「軸受け部、第１磁性部材、第２磁性部材、外側コイル、内側コイルとを一体的に」装着しているのに対し、引用発明１は、その構成を備えていない点。
［相違点６］
　ボイスコイル型モータに関し、本願発明が、「隣接する磁石の極性を逆向きにすると共に隣接する外側コイルに流す電流の方向を逆向きとし、さらに外側コイルに対応する内側コイルに流す電流の方向をこの外側コイルと同じ向きにし」た構成であるのに対し、引用発明１は、その構成を備えていない点。
［相違点７］
　シャフトの上下方向の位置を検出する位置検出手段の読み取りヘッドに関し、本願発明が、「回転体に装着された」ものであるのに対し、引用発明１は、その構成を備えていない点。
　
４．判断
　上記相違点について以下検討する。
　
（１）相違点１ないし６について
　引用例２に記載の発明は、その構成を本願発明の構成に対応付けて表すと、次のように捉えることができる。
「シャフト（「駆動軸１０」が相当）を支持する軸受け部（「スライド軸受９」が相当）と、中央部（「中心軸部分」が相当）に前記シャフトが貫通する貫通孔を有し前記シャフトと同軸且つ平行な外壁面を備えた第１磁性部材（「内側ヨーク４」が相当）と、前記第１磁性部材を包囲して配置されこの第１磁性部材の外壁面と間隔をおいて対向し前記シャフトと同軸且つ平行な内壁面を有する第２磁性部材（「外側ヨーク１」が相当）と、前記外壁面と前記内壁面に挟まれた略円筒状の空間内において前記シャフトの長手方向に沿って直列に配置され半径方向に着磁された２個のリング形状の磁石（「円筒状の一対の磁石体」が相当）と、前記内壁面と前記磁石の間の空間に前記シャフトと同軸に巻回され前記磁石に対応して前記シャフトの長手方向に沿って直列に配置された２個の外側コイル（「第１コイル５，第２コイル６」が相当）と、前記外壁面と前記磁石の間の空間に前記シャフトと同軸に巻回され前記外側コイルに対応して前記シャフトの長手方向に沿って直列に配置された２個の内側コイル（「第３コイル７，第４コイル８」が相当）と、前記外側コイルと前記内側コイルに電流を供給する駆動回路（「電流を流すための手段」が相当）を備え、
　前記外側コイルの内周面及び前記内側コイルの外周面に前記磁石の外周面及び内周面をそれぞれ直接露呈させて前記シャフトに前記磁石を一体的に装着して可動部（「可動体３０」が相当）とし、前記軸受け部、前記第１磁性部材、前記第２磁性部材、前記外側コイル、前記内側コイルとを一体的に装着して固定部とし、隣接する前記磁石の極性を逆向きにすると共に隣接する外側コイルに流す電流の方向を逆向きとし、さらに外側コイルに対応する内側コイルに流す電流の方向をこの外側コイルと同じ向きにしたボイスコイル型モータ（「リニアアクチュエータ」が相当）。」（以下、「引用発明２」という。）
　引用発明１と引用発明２は、ボイスコイル型モータという共通の技術分野に属するものであるから、引用発明１におけるボイスコイル型モータに、引用発明２のボイスコイル型モータの構成を適用することにより、上記相違点１ないし６に係る本願発明の構成とすることは、当業者にとって容易である。
　
　なお、請求人は、平成１９年１０月１８日付けの意見書において、引用発明１に両持ち式のボイスコイルモータに係る引用発明２を組み合わせて片持ち式のボイスコイルモータに係る本願発明を想到することには阻害要因がある旨主張している。
　ところで、引用例２の段落【０００５】には、「【発明が解決しようとする課題】上記のような従来のリニアアクチュエータにおいて、中間ヨーク１１９は、出力軸１１７が中空円筒部１１２ｂによって保持されることにより保持されている。ところが、この中空円筒部１１２ｂは円盤部１１２ａとともに支持体１１２を構成する部材であるため、結果的には、中間ヨーク１１９は支持体１１２の円盤部１１２ａによって保持されていることになる。すなわち、中間ヨーク１１９は、軸方向の一方側に存在する円盤部１１２ａのみによって支持されている、いわゆる片持ち支持の状態にある。このような片持ち支持の構造においては、出力軸１１７に対して外部から振動や衝撃が加わると、支持体１１２の円盤部１１２ａに撓みが生じることがある。円盤部１１２ａに撓みが生じると、コイル１２１〜１２４と磁石１２５〜１２８との間の各エアギャップが変化する。特に、外側ヨーク１１１に設けられているコイル１２１及び１２２とそれぞれ対向する磁石１２５及び１２６とのエアギャップは変化が大きく、磁石１２５（又は１２６）がコイル１２１（又は１２２）に接触してコイル１２１（又は１２２）が損傷を受ける恐れがある。」と記載され、さらに、段落【０００７】には、「【課題を解決するための手段】本発明のリニアアクチュエータは、円筒状の外側ヨークと、前記外側ヨークの内周面に設けられた外側コイルと、軸方向両端部において前記外側ヨークと互いに接続されて前記外側ヨークの内側に同心配置された内側ヨークと、・・・を備えたものである（請求項１）。このように構成されたリニアアクチュエータにおいては、内側ヨークと外側ヨークとの両端同士が接続され、内側ヨークは外側ヨークにいわゆる両持ちされた支持状態になる。このような支持状態においては、可動体の出力軸に振動や衝撃を受けても可動体を支える内側ヨーク又は外側ヨークは変形せず、その結果コイルと磁石とのエアギャップは一定に保たれる。従って、エアギャップを大きめに設定する必要はなく、実質的に最小限のエアギャップ値にすることができるので、エネルギー損失が減少し、出力が増大する。」と記載されている。
　これらの記載によれば、片持ち式のボイスコイルモータの欠点は、もっぱら、内側ヨークと外側ヨークとの両端同士が接続された両持支持構造により解消されるものと解するのが相当であるから、引用例２は、引用発明２の可動部の磁石配置や固定部のコイル配置そのものが、両持ち式のボイスコイルモータのみに適用可能な構成である（即ち、片持ち式のものに転用できない）とする根拠を何等示唆するものではない。
　したがって、引用発明１に引用発明２における可動部の磁石配置や固定部のコイル配置を適用する上で、それを阻害する要因があるとはいえないから、請求人の上記主張は採用できない。
　
（２）相違点７について
　本願発明において、「回転体に装着された読み取りヘッド」と特定したことによる技術的意義は本願明細書中には何等記載及び示唆されていない。
　一方、引用発明１において、シャフトの上下方向の位置を検出する位置検出手段の具体的構成の選定は、シャフトの上下方向位置の検出機能を有する範囲内において当業者が必要に応じて適宜改変し得る設計的事項にすぎず、読み取りヘッドの配置構成についても同様のことがいえるから、引用発明１の読み取りヘッドの配置構成を、相違点７に係る本願発明の構成とすることは、当業者にとって容易であり、それにより格別顕著な作用効果が奏されるものとも認められない。
　
　そして、本願発明の全体構成により奏される「着磁方向の異なる２つのマグネットを推力発生方向に直列に配置し、それぞれのマグネットを挟んで内外２層のコイルを配置したので、ボイスコイル型モータ全体のサイズや重量の増大を招くことなく高推力を得ることができる（本願明細書の段落【００５６】参照）」という効果も、引用発明１及び２から当業者が予測し得る範囲内のものにすぎない。
　
５．むすび
　したがって、本願発明は、引用発明１及び２に基いて当業者が容易に発明をすることができたものであるので、特許法第２９条第２項の規定により特許を受けることができない。
　よって、結論のとおり審決する。